(57)【要約】【課題】引用文献として記載された文献が存在するかどうかを自動的に確認することのできるシステムを提供する。【解決手段】本電子ジャーナルシステムは、文書データに含まれる引用文献情報を抽出し、抽出した引用文献情報に基づいて検索式を生成する検索式生成手段と、検索式生成手段により生成された検索式を用いて、記憶手段から文献固有の識別子を検索する識別子取得手段と、識別子取得手段によって文献固有の識別子が取得されたとき、取得された識別子を用いて引用文献のオリジナルデータへアクセスするためのリンク情報を生成し、文書データに生成されたリンク情報を埋め込むリンク埋込手段と、を備える。【選択図】図５
2007183833.tif 000002
【特許請求の範囲】
【請求項１】
文書データに含まれる引用文献に関する情報を抽出し、抽出した引用文献情報に基づいて検索式を生成する検索式生成手段と、
前記検索式生成手段により生成された検索式を用いて、記憶手段から文献固有の識別子を検索する識別子取得手段と、
前記識別子取得手段によって文献固有の識別子が取得されたとき、前記取得された識別子を用いて引用文献のオリジナルデータへアクセスするためのリンク情報を生成し、前記文書データに前記生成されたリンク情報を埋め込むリンク埋込手段と、
を備える電子ジャーナルシステム。
【請求項２】
文献固有の識別子と前記文献のジャーナル名等を示す属性情報とを対応付けて記憶する文献情報記憶手段をさらに備え、
前記識別子取得手段は、
前記検索式生成手段により生成された検索式を用いて前記文献情報記憶手段を検索し、前記文献情報記憶手段から識別子を取得できない場合には、システム外部の記憶手段を使用して、識別子を検索する
ことを特徴とする請求項１記載の電子ジャーナルシステム。
【請求項３】
前記識別子取得手段が、システム外部の記憶手段を使用して識別子を取得したとき、前記取得された識別子と当該識別子に係る引用文献の属性情報とを対応付けて前記文献情報記憶手段に蓄積する文献情報蓄積手段をさらに備える
ことを特徴とする請求項２記載の電子ジャーナルシステム。
【請求項４】
文書データを電子メールにより受け付ける受付手段と、
前記識別子取得手段によって文献固有の識別子が取得されないとき、前記電子メールの送信元に対して電子メールを送信する確認手段と、
をさらに備えることを特徴とする請求項１乃至３のいずれかに記載の電子ジャーナルシステム。
【請求項５】
前記文書データは、電子ジャーナルに投稿された論文である
ことを特徴とする請求項１乃至４のいずれかに記載の電子ジャーナルシステム。
【請求項６】
システムの動作又は処理を制御するための制御手段を備える電子ジャーナルシステムにおいて、文書データに含まれる引用文献にリンク情報を生成する方法であって、
前記制御手段が、文書データに含まれる引用文献情報を抽出し、抽出した引用文献情報に基づいて検索式を生成するステップと、
前記生成された検索式を用いて、前記制御手段が記憶手段から文献固有の識別子を検索するステップと、
前記検索の結果、文献固有の識別子が取得されたとき、前記制御手段が前記取得された識別子を用いて引用文献のオリジナルデータへアクセスするためのリンク情報を生成し、前記文書データに前記生成されたリンク情報を埋め込むステップと、
を備えるリンク生成方法。
【請求項７】
請求項６に記載のリンク生成方法をコンピュータに実行させるためのプログラム。
【請求項８】
請求項７に記載のプログラムを記録したコンピュータ読み取り可能な記録媒体。
【発明の詳細な説明】
【技術分野】
【０００１】
本発明は、電子ジャーナルを発行するための情報処理技術に関する。
【背景技術】
【０００２】
従来、学術論文の発表は、紙媒体の学術誌を通して行われていたが、昨今、インターネット上の電子ジャーナルで論文が公開されることが一般的になっている。
【０００３】
ところで、インターネット上で公開される論文には、多くの場合、各論文をユニークに特定するための識別子であるＤＯＩ（デジタル・オブジェクト識別子：Digital Object Identifier）が付与される。ＤＯＩとは、インターネット上で公開された論文の所在地を示すための世界共通のコード体系であり、ＵＲＬの変更等に左右されず論文のオリジナルの所在地を特定できる。
【０００４】
具体的には、ＤＯＩは「10.1039/j29710000797」のようなコードであり、図書や雑誌の単位だけでなく、その中に含まれる章、論文、表など、どのような単位にでも付与可能である。そして、このＤＯＩを使うことによって、当該ＤＯＩに対応付けられる論文のオリジナルデータにアクセスすることが可能となる。
【０００５】
ＤＯＩを用いて論文のオリジナルデータを閲覧する場合、例えば、ｃｒｏｓｓｒｅｆ．ｏｒｇ（非特許文献１）により提供されるＷｅｂページにおいて、ＤＯＩを入力するためのテキストボックスにＤＯＩを入力して検索ボタンを押すと、当該ＤＯＩに対応付けられたＵＲＬをディレクトリサーバから取得し、当該ＵＲＬを用いて論文のオリジナルデータにアクセスできる。また、ＤＯＩのディレクトリサーバを示すＵＲＬ「http://dx.doi.org/」の後ろにＤＯＩを付加したＵＲＬ「http://dx.doi.org/10.1039/j29710000797」を使用して、文献に直接アクセスすることもできる。なお、ディレクトリサーバには、ＤＯＩと当該ＤＯＩによって特定される論文のオリジナルデータが存在するＵＲＬとが対応付けられて管理されている。また、ｃｒｏｓｓｒｅｆ．ｏｒｇには、論文等の属性情報とＤＯＩとが対応付けられたデータベースも管理されている。
【非特許文献１】「ｃｒｏｓｓｒｅｆ．ｏｒｇ」、［online］、［平成１８年１月６日検索］、インターネット＜ＵＲＬ：http://mailserv.crossref.org/＞
【発明の開示】
【発明が解決しようとする課題】
【０００６】
ところで、上述のとおり、インターネット上の電子ジャーナルで論文が公開されることが一般的になり、紙媒体で論文誌を発行していた頃と比べて、研究者の論文執筆・閲覧環境は変化している。しかしながら、各々の論文の引用文献の記載の正確さについては、電子化前と変わらず、依然として著者の記述を信用するにとどまっている。編集出版側で検証及び修正することは、検証負担という人的な観点及び出版スケジュールという時間的な観点から見て、非常に難しいものである。
【０００７】
本発明は、かかる実情に鑑み、文書中に引用文献として記載された文献が存在するかどうかを自動的に確認することのできるシステムを提供しようとするものである。特に、引用文献の電子ジャーナル等へのリンクの存在を自動的に確認し、リンクが存在する場合には当該リンクを文書に埋め込んだ上で公開し、また、新たに公開される論文の引用文献を自動的に蓄積することを目的としている。
【課題を解決するための手段】
【０００８】
上記課題を解決するため、本発明の電子ジャーナルシステムは、文書データに含まれる引用文献に関する情報を抽出し、抽出した引用文献情報に基づいて検索式を生成する検索式生成手段と、検索式生成手段により生成された検索式を用いて、記憶手段（データベース）から文献固有の識別子を検索する識別子取得手段と、識別子取得手段によって文献固有の識別子が取得されたとき、取得された識別子を用いて引用文献のオリジナルデータへアクセスするためのリンク情報を生成し、文書データに生成されたリンク情報を埋め込むリンク埋込手段と、を備える。
【０００９】
好適には、文献固有の識別子と文献のジャーナル名等を示す属性情報とを対応付けて記憶する文献情報記憶手段をさらに備え、識別子取得手段は、検索式生成手段により生成された検索式を用いて文献情報記憶手段を検索し、文献情報記憶手段から識別子を取得できない場合には、システム外部の記憶手段を使用して、識別子を検索することを特徴とする。なお、「システム外部の記憶手段」とは、本電子ジャーナルシステムとネットワークを介して接続される記憶手段のことであり、例えば、ｃｒｏｓｓｒｅｆ．ｏｒｇ等の管理する記憶手段（データベース）を含む。
【００１０】
このとき、識別子取得手段が、システム外部の記憶手段（データベース）を使用して識別子を取得したとき、取得された識別子と当該識別子に係る引用文献の属性情報とを対応付けて文献情報記憶手段に蓄積する文献情報蓄積手段をさらに備えることが好ましい。
【００１１】
また、好適には、文書データを電子メールにより受け付ける受付手段と、識別子取得手段によって文献固有の識別子が取得されないとき、電子メールの送信元に対して、誤記の確認等を促すための電子メールを送信する確認手段と、をさらに備える。さらに、文書データは、電子ジャーナルに投稿された論文であることが好ましい。
【００１２】
また、本発明のリンク生成方法は、システムの動作又は処理を制御するための制御手段を備える電子ジャーナルシステムにおいて、文書データに含まれる引用文献にリンク情報を生成する方法であって、制御手段が、文書データに含まれる引用文献情報を抽出し、抽出した引用文献情報に基づいて検索式を生成するステップと、生成された検索式を用いて、制御手段が記憶手段（データベース）から文献固有の識別子を検索するステップと、検索の結果、文献固有の識別子が取得されたとき、制御手段が取得された識別子を用いて引用文献のオリジナルデータへアクセスするためのリンク情報を生成し、文書データに生成されたリンク情報を埋め込むステップと、を備える。
【００１３】
本発明のプログラムは、本発明のリンク生成方法の各ステップをコンピュータに実行させることを特徴とする。本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００１４】
なお、本明細書等において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【発明の効果】
【００１５】
本発明によれば、文書中に引用文献として記載された文献が電子ジャーナルで公表されているかどうかを自動的に確認することのできるシステムを実現することが可能となる。また、引用文献の電子ジャーナル等へのリンクの存在を自動的に確認し、リンクが存在する場合には当該リンクを文書に埋め込んだ上で公開する。また、リンクが存在しない場合には電子メールを自動的に送信することによって、論文の著者に誤記等の確認を促すことができる。さらに、新たに公開される論文の引用文献を自動的に蓄積することにより、通信コストやトラフィックの負荷を削減できるという効果を奏する。
【発明を実施するための最良の形態】
【００１６】
以下、本発明の実施の形態について図面を参照しつつ説明する。
【００１７】
図１は、本実施形態に係る電子ジャーナルシステムの概略構成を示す図である。図１に示すように、本電子ジャーナルシステム１０は、文献識別子サーバ２０と、一以上のユーザ端末装置３０とが、ネットワーク４０を介して相互に接続されることにより構成される。
【００１８】
電子ジャーナルシステム１０は、電子ジャーナルに投稿された論文の電子データ（以下、「電子論文」という）に含まれる引用文献へのリンクを当該電子論文に自動的に埋め込む機能を備えるコンピュータシステムである。詳細は後述する。
【００１９】
文献識別子サーバ２０は、電子論文のメタデータである属性情報と当該電子論文を識別するためのＤＯＩ（デジタル・オブジェクト識別子）とを対応付けて記憶手段（データベース）に管理し、電子論文の属性情報の入力に基づいて当該属性情報に対応付けられたＤＯＩを検索して出力するためのコンピュータサーバである。文献識別子サーバ２０は、インターネット上の主要な電子ジャーナルで公表される論文を原則全て管理することが好ましい。具体的には、ｃｒｏｓｓｒｅｆ．ｏｒｇなどのＷｅｂサーバが該当する。なお、属性情報とは、著者名、ジャーナル（論文誌）の名称、発行年、発行月、巻、号、ページ数、論文名称等、電子論文を特定するための各種情報（メタデータ）の一部又は全部を意味する。
【００２０】
ユーザ端末装置３０は、電子ジャーナルシステム１０に電子論文を送信可能な端末装置である。好適には、電子メールを送受信するためのメーラーを備える。また、Ｗｅｂページを閲覧するためのブラウザを備え、電子ジャーナルシステム１０にて公開された電子論文を閲覧できることが好ましい。
【００２１】
ネットワーク４０は、電子ジャーナルシステム１０と、文献識別子サーバ２０と、ユーザ端末装置３０との間で情報を送受信するための通信回線である。例えば、インターネット、ＬＡＮ、専用線、パケット通信網、電話回線、企業内ネットワーク、その他の通信回線、それらの組み合わせ等のいずれであってもよく、有線であるか無線であるかを問わない。
【００２２】
図２は、電子ジャーナルシステム１０の主な装置構成の一例を示すブロック図である。電子ジャーナルシステム１０は、電子ジャーナルシステム１０全体の処理及び動作を制御するＣＰＵ等の制御手段５０と、制御手段５０が制御等を実行する際の作業領域であるＲＡＭ等の主記憶手段５２と、制御手段５０が制御等を実行するためのプログラム又はデータを記憶するＲＯＭ等の読出用記憶手段５４と、電子ジャーナルシステム１０の実行する処理に必要な各種情報を記憶するための外部記憶手段５６と、情報の入出力を行う入出力インタフェース等の入出力手段５８と、少なくとも文献識別子サーバ２０及びユーザ端末装置３０と通信を行うための通信インタフェース等の通信手段６０と、これら各手段を結ぶバス等の接続手段６２を備える。
【００２３】
上記の装置構成の全部又は本発明を実施するのに必要な一部を備える専用又は汎用のコンピュータを、電子ジャーナルシステム１０として適用することができる。なお、電子ジャーナルシステム１０は、単一のコンピュータより構成されるものであっても、ネットワーク上に分散した複数のコンピュータより構成されるものであってもよい。
【００２４】
文献識別子サーバ２０は、例えば、電子論文の属性情報とＤＯＩとを対応付けた記憶手段（データベース）を管理するデータベースサーバと、当該データベースサーバを操作して検索結果を送受信するためのＷｅｂサーバとを備えて構成される。各サーバは、単一のコンピュータより構成されるものであっても、ネットワーク上に分散した複数のコンピュータより構成されるものであってもよい。
【００２５】
ユーザ端末装置３０は、インターネット等のネットワークに接続可能な汎用又は専用のコンピュータ又は携帯電話機を含む携帯型端末装置を適用できる。
【００２６】
図３は、電子ジャーナルシステム１０の主な機能構成を示すブロック図である。電子ジャーナルシステム１０は、受付手段７０と、検索式生成手段７２と、識別子取得手段７４と、リンク埋込手段７６と、公開手段７８を含んで構成される。また、好ましくは、文献情報蓄積手段８０と、確認手段８２とを、さらに含んで構成される。例えば、電子ジャーナルシステム１０の制御手段５０が、読出用記憶手段５４又は外部記憶手段５６などに記憶された所定のプログラムを実行し、制御手段５０を各種機能実現手段として機能させることによって、これら各機能手段が実現される。
【００２７】
また、好ましくは、電子ジャーナルシステム１０の外部記憶手段５６は、以前に引用した文献（電子論文）の属性情報とＤＯＩとを対応付けて記憶する文献情報蓄積領域８４と、あいまい検索を行うための辞書情報を記憶する辞書情報記憶領域８６とを含んで構成される。
【００２８】
受付手段７０は、電子ジャーナルへの論文の投稿を受け付ける機能を備える。好ましくは、論文の著者等が、電子メールに電子論文を添付又は貼り付けて、自己のユーザ端末装置３０から電子ジャーナルシステム１０に当該電子メールを送信し、受付手段７０が当該電子メールに添付又は貼り付けられた電子論文を受け取る。
【００２９】
検索式生成手段７２は、受付手段７０により受け付けられた電子論文から引用文献が記述されている箇所を抽出し、ＤＯＩを検索するための検索式を生成する機能を備える。例えば、電子論文の末尾周辺部分を全文検索し、「参考文献」又は「References」等の項目立てを検出することによって引用文献が記述されている箇所を抽出する。そして、電子論文に記述されている各引用文献ごとに、ＤＯＩを検索するための検索式を生成する。検索式は、ジャーナル名、発行年、巻、号、ページ数等の属性情報を含んで構成される。検索に使用する属性情報は、必要に応じて任意のものを使用すればよい。
【００３０】
なお、論文に記載される引用文献は、ジャーナルごとに一定のフォーマットに従って記載されることが一般的である。そこで、ジャーナルごとに属性情報を抽出するためのフォーム情報を予め設定しておくことにより、検索に必要な属性情報を取得することができる。
【００３１】
識別子取得手段７４は、検索式生成手段７２によって生成された検索式に基づいて記憶手段（データベース）を検索し、文献固有の識別子であるＤＯＩを取得する機能を備える。好ましくは、まず、電子ジャーナルシステム１０のローカルで管理されるデータベースである文献情報記憶手段８４を検索する。そして、文献情報記憶手段８４で検索結果を得られる場合、すなわち、文献情報記憶手段８４に当該検索式に係る文献の情報が蓄積されている場合、文献情報記憶手段８４からＤＯＩを取得する。文献情報記憶手段８４で検索結果を得られない場合、電子ジャーナルシステム１０外部の文献識別子サーバ２０にアクセスして、文献識別子サーバ２０のデータベースの検索を行い、ＤＯＩを取得する。このように、まずローカルの記憶手段（文献情報記憶手段８４）を検索してＤＯＩの取得を試みることによって、通信コストやトラフィックの負荷を抑えることができるとともに、トータルの処理スピードを向上させることができる。
【００３２】
文献識別子サーバ２０を検索しても、検索結果が得られないとき、検索式の一部を変更して検索を行う（いわゆる、あいまい検索）。このとき、辞書情報記憶手段８６に記憶される辞書情報を利用して検索式を変更する。例えば、辞書情報記憶手段８６を参照して、検索式中のジャーナル名称を「Journal of International ・・・」から「Jour. Int. ・・・」に変更する。また、検索する属性情報の種類を一部入れ替えてもよい。
【００３３】
リンク埋込手段７６は、識別子取得手段７４により取得されたＤＯＩに基づいて、引用文献のオリジナルデータに直接アクセスするためのリンク情報（ＵＲＬ）を生成し、当該生成されたリンク情報を電子論文中の当該引用文献が記載されている部分に埋め込む機能を備える。識別子取得手段６８がＤＯＩを取得できなかった場合は、リンクを埋め込まない。
【００３４】
公開手段７８は、電子論文に引用文献のリンク情報の付加が完了した後、電子論文をＷｅｂサイト上に公開する機能を備える。例えば、電子ジャーナルのＷｅｂページに電子論文をアップロードするなどすればよい。
【００３５】
文献情報蓄積手段８０は、識別子取得手段７４が、文献識別子サーバ２０からＤＯＩを取得したとき、取得したＤＯＩと当該ＤＯＩに係る文献の属性情報とを対応付けて、文献情報記憶手段８４に蓄積する機能を備える。これにより、過去にＤＯＩを取得した文献をローカルで管理することができ、識別子取得手段７４がＤＯＩを検索・取得する際に、文献情報記憶手段８４をキャッシュのように利用することが可能となる。論文に引用される文献は特定の文献に集中することが多いため、一度使用したＤＯＩをローカルで管理することは、処理効率の大幅な向上につながる。
【００３６】
確認手段８２は、識別子取得手段７４がＤＯＩを取得できなかった場合に、電子論文の著者に対して、引用文献の記載に誤りがないかを確認するための機能を備える。例えば、ＤＯＩを取得できなかった引用文献の記載、及び、現在の引用文献の記載ではＤＯＩを取得できない旨を記載した電子メールを電子論文の著者等に自動的に通知し、誤記等の確認を促す。このとき、電子メールの送信先には、受付手段６０により受け付けた電子メールの送信元を使用することが好ましい。
【００３７】
文献情報記憶手段８４は、電子ジャーナルシステム１０のローカルで、文献固有のＤＯＩと当該文献の属性情報とを対応付けて記憶するための記憶手段（データベース）である。
【００３８】
辞書情報記憶手段８６は、識別子取得手段７４がＤＯＩを検索する際に、検索式生成手段７２で生成された検索式の一部を変更してあいまい検索を実行する場合に参照される辞書情報を記憶する手段である。例えば、ジャーナルの正式名称と略称との対応付けや、単語とその略語との対応付けが辞書情報として記憶されている。
【００３９】
図４は、リンク埋込手段７６により電子論文に埋め込まれるリンク情報の一例を示す図である。同図（Ａ）は、リンク情報が埋め込まれる前の引用文献の記載を示す図である。この例では、ａ）〜ｃ）の３文献が引用されている。同図（Ｂ）は、リンク情報が埋め込まれた後の引用文献の記載を示す図である。同図の例では、ａ）とｃ）の２文献についてはＤＯＩを取得でき、ｂ）の文献についてはＤＯＩを取得できなかった場合を示している。リンク埋込手段７６は、取得したＤＯＩ（例えば、10.1039/j29710000797）に所定の文字列（http://dx.doi.org/）を付加して文献のオリジナルデータにアクセスするためのＵＲＬ等のリンク情報（例えば、http://dx.doi.org/10.1039/j29710000797）を生成し、公開する電子論文のファイル形式に合わせた所定フォーマット（例えば、\href[http://dx.doi.org/10.1039/j29710000797]）よって電子論文にリンク情報を埋め込む。
【００４０】
図５は、電子ジャーナルシステム１０における処理手順の一例を示すフローチャートである。まず、電子ジャーナルシステム１０の受付手段７０が、ユーザ端末装置３０から電子論文の投稿を受け付ける（Ｓ１００）。検索式生成手段７２は、受け付けた電子論文から引用文献が記載されている箇所を抽出し、ＤＯＩを検索するための検索式を生成する（Ｓ１０２）。その後、識別子取得手段７４は、生成された検索式を用いてＤＯＩを検索する。このとき、まず、文献情報記憶手段８４を検索してＤＯＩの取得を試みる（Ｓ１０４）。文献情報記憶手段８４を検索してＤＯＩを取得できない場合、文献識別子サーバ２０にアクセスして、文献識別子サーバ２０の記憶手段（データベース）を検索する（Ｓ１０６）。なお、ＤＯＩを検索するとき、必要に応じて辞書情報記憶手段８６を参照し、あいまい検索を実行する。文献識別子サーバ２０の記憶手段（データベース）を検索してＤＯＩを取得したとき、文献情報蓄積手段８０は、取得したＤＯＩを文献の属性情報と対応付けて文献情報記憶手段８４に蓄積する（Ｓ１０８）。
【００４１】
識別子取得手段７４がＤＯＩを取得できたとき、取得したＤＯＩを基に、リンク埋込手段７６は引用文献のオリジナルデータに直接アクセスするためのリンク情報（ＵＲＬ）を生成し、電子論文の引用文献記載箇所に当該リンク情報を付加する（Ｓ１１０）。識別子取得手段７４がＤＯＩを取得できなかったとき、当該引用文献にはリンク情報を付加しない。また、必要に応じて、電子論文の著者等に対して電子メールを送信し、引用文献の記載に誤記がないかどうかの確認を促す（Ｓ１１２）。なお、この確認処理は、ＤＯＩを取得できない引用文献をまとめて著者等に通知してもよい。
【００４２】
電子ジャーナルシステム１０は、受け付けた電子論文に引用される全ての文献について、Ｓ１０２からＳ１１２の処理を繰り返し行う（Ｓ１１４）。そして、全ての引用文献について処理が完了した後、公開手段７８がリンク情報の埋め込まれた電子論文をＷｅｂサイトに公開する（Ｓ１１６）。
【００４３】
なお、各ステップは処理内容に矛盾を生じない範囲で任意に順番を変更して又は並列に実行することができる。
【００４４】
なお、本発明は、上記した実施の形態に限定されるものではなく、本発明の要旨を逸脱しない範囲内において、他の様々な形で実施することができる。このため、上記実施形態はあらゆる点で単なる例示にすぎず、限定的に解釈されるものではない。
【００４５】
例えば、本実施形態においては、電子ジャーナルに投稿される電子論文の引用文献にリンク情報を自動的に埋め込む例を示したが、電子論文に限らず、レポートや本の電子データ、その他、文献を引用するあらゆる文書データに適用できる。
【００４６】
本実施形態においては、ＤＯＩを利用して電子論文を識別し、リンク情報を生成するものとしたが、識別子及びリンク情報の生成はＤＯＩを使用するものに限定されない。また、本実施形態においては、電子論文中の引用文献のリンクを自動生成する例を示したが、文献以外にも音楽や映像データ等のデジタルオブジェクトを引用する場合にも適用可能である。
【図面の簡単な説明】
【００４７】
【図１】本実施形態に係る電子ジャーナルシステムの概略構成を示す図である。
【図２】電子ジャーナルシステム１０の主な装置構成の一例を示すブロック図である。
【図３】電子ジャーナルシステム１０の主な機能構成を示すブロック図である。
【図４】電子論文に埋め込まれるリンク情報の一例を示す図である。
【図５】電子ジャーナルシステム１０における処理手順の一例を示すフローチャートである。
【符号の説明】
【００４８】
１０  電子ジャーナルシステム
２０  文献識別子サーバ
３０  ユーザ端末装置
４０  ネットワーク
【図１】
2007183833.tif 000003
【図２】
2007183833.tif 000004
【図３】
2007183833.tif 000005
【図４】
2007183833.tif 000006
【図５】
2007183833.tif 000007
【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
少なくとも引用文献がテキストデータで記述された文書データの投稿を、当該文書データの著者からネットワークを介して受け付ける受付手段と、
前記受付手段により受け付けられた文書データに含まれるテキストデータから、前記文書データに含まれる引用文献の記述を抽出し、抽出した引用文献の記述に基づいて検索式を生成する検索式生成手段と、
前記検索式生成手段により生成された検索式を用いて、記憶手段から文献固有の識別子を検索する識別子取得手段と、
前記識別子取得手段による検索の結果、文献固有の識別子を取得できなかったとき、前記文書データの投稿元に対して、前記投稿された文書データに記載されている引用文献の誤記確認を促すための電子メールを送信する確認手段と、
前記識別子取得手段による検索の結果、文献固有の識別子を取得できたとき、前記取得された識別子を用いて引用文献のオリジナルデータへアクセスするためのリンク情報を生成し、前記文書データにおいて前記引用文献が記述されているテキストデータの部分に前記生成されたリンク情報を埋め込むリンク埋込手段と、
前記リンク埋込手段によりリンク情報が埋め込まれた文書データをウェブサイト上に公開する公開手段と、
を備える電子ジャーナルシステム。
【請求項２】
前記識別子取得手段が検索を行う前記記憶手段は、
前記電子ジャーナルシステムが備える、文献固有の識別子と前記文献のジャーナル名等を示す属性情報とを対応付けて記憶する文献情報記憶手段、及び、
前記電子ジャーナルシステム外部の記憶手段、
を含むことを特徴とする請求項１記載の電子ジャーナルシステム。
【請求項３】
前記電子ジャーナルシステムは、前記投稿された文書データに記載されている全ての引用文献について、前記検索式生成手段と、前記識別子取得手段と、前記確認手段と、前記リンク埋込手段と、によって実行される処理を繰り返す、
ことを特徴とする請求項１又は２記載の電子ジャーナルシステム。
【請求項４】
前記受付手段は、電子メールにより前記文書データの投稿を受け付ける、
ことを特徴とする請求項１乃至３のいずれかに記載の電子ジャーナルシステム。
【請求項５】
前記文書データは、電子ジャーナルに投稿された論文である
ことを特徴とする請求項１乃至４のいずれかに記載の電子ジャーナルシステム。
【請求項６】
システムの動作又は処理を制御するための制御手段を備える電子ジャーナルシステムにおいて、投稿された文書データに含まれる引用文献にリンク情報を埋め込んだ後、前記リンク情報が埋め込まれた文書データを公開する方法であって、
少なくとも引用文献がテキストデータで記述された文書データの投稿を、ネットワークを介して受け付けるステップと、
前記制御手段が、前記投稿された文書データに含まれるテキストデータから、前記文書データに含まれる引用文献の記述を抽出し、抽出した引用文献の記述に基づいて検索式を生成するステップと、
前記生成された検索式を用いて、前記制御手段が記憶手段から文献固有の識別子を検索するステップと、
前記検索の結果、文献固有の識別子を取得できなかったとき、前記文書データの投稿元に対して、前記投稿された文書データに記載されている引用文献の誤記確認を促すための電子メールを送信するステップと、
前記検索の結果、文献固有の識別子を取得できたとき、前記制御手段が前記取得された識別子を用いて引用文献のオリジナルデータへアクセスするためのリンク情報を生成し、前記文書データにおいて前記引用文献が記述されているテキストデータの部分に前記生成されたリンク情報を埋め込むステップと、
前記リンク情報が埋め込まれた文書データを、前記制御手段がウェブサイト上に公開するステップと、
を備える文書データ公開方法。
【請求項７】
請求項６に記載の文書データ公開方法をコンピュータに実行させるためのプログラム。
【請求項８】
請求項７に記載のプログラムを記録したコンピュータ読み取り可能な記録媒体。